【手続補正書】
【提出日】平成29年6月1日(2017.6.1)
【手続補正１】
【補正対象書類名】特許請求の範囲
【補正対象項目名】全文
【補正方法】変更
【補正の内容】
【特許請求の範囲】
【請求項１】
高分子材料を含むエネルギー吸収部材であって、ここで前記高分子材料が、マトリクスポリマーを含む連続相を含有する熱可塑性組成物から形成された多孔質高分子材料を含み、さらにマイクロ包含添加剤およびナノ包含添加剤が個別領域の形態で前記連続相内に分散されており、ここで約８００ナノメートル以下の平均断面寸法を持つ複数のナノ細孔を含む多孔質ネットワークが前記材料中に画定されるエネルギー吸収部材。
【請求項２】
前記高分子材料が、２３°ＣでＡＳＴＭ  Ｄ６１１０−１０に従って測定された時、約１０ｋＪ／ｍ２以上のノッチ付きシャルピー衝撃強度を持つ、請求項１に記載のエネルギー吸収部材。
【請求項３】
前記高分子材料によって吸収される前記合計エネルギーが、ＡＳＴＭ  Ｄ３７６３−１０に従って１２．５メートル／秒の速度および２３°Ｃの温度で実施される高速破壊試験によって決定される時、約２ジュール以上である、請求項１または２に記載のエネルギー吸収部材。
【請求項４】
ＡＳＴＭ  Ｄ３７６３−１０に従って１２．５メートル／秒の速度および２３°Ｃの温度で実施される高速破壊試験によって決定されるとき、前記高分子材料の前記ピーク負荷でのたわみが、約１０ｍｍ以上である、および／または前記高分子材料の前記ピーク負荷が、約２５０Ｎ以上である、請求項１から３のいずれか一項に記載のエネルギー吸収部材。
【請求項５】
前記ナノ細孔が約１０〜約１００ナノメートルの平均断面寸法を持つ、請求項１から４のいずれか一項に記載のエネルギー吸収部材。
【請求項６】
前記高分子材料の合計細孔容量が立方センチメートル当たり約１５％〜約８０％である、および／または前記ナノ細孔が前記高分子材料の合計細孔容量の約２０容量％以上を構成する、請求項１から５のいずれか一項に記載のエネルギー吸収部材。
【請求項７】
前記連続相が、前記熱可塑性組成物の約６０重量％〜約９９重量％を構成し、前記マイクロ包含添加剤が前記連続相の重量に基づいて前記組成物の約１重量％〜約３０重量％を構成する、および／または前記ナノ包含添加剤が前記連続相の重量に基づいて前記組成物の約０．０５重量％〜約２０重量％を構成する、請求項１から６のいずれか一項に記載のエネルギー吸収部材。
【請求項８】
前記マトリクスポリマーがポリエステルまたはポリオレフィンを含む、請求項１から７のいずれか一項に記載のエネルギー吸収部材。
【請求項９】
前記ポリエステルが約０°Ｃ以上のガラス転移温度を持つ、請求項８に記載のエネルギー吸収部材。
【請求項１０】
前記ポリエステルがポリ乳酸を含む、請求項８または９に記載のエネルギー吸収部材。
【請求項１１】
前記マイクロ包含添加剤が高分子である、請求項１から１０のいずれか一項に記載のエネルギー吸収部材。
【請求項１２】
前記マイクロ包含添加剤がポリオレフィンを含む、請求項１１に記載のエネルギー吸収部材。
【請求項１３】
前記ポリオレフィンが、プロピレンホモポリマー、プロピレン／α−オレフィン共重合体、エチレン／α−オレフィン共重合体、またはその組合せである、請求項１２に記載のエネルギー吸収部材。
【請求項１４】
前記マイクロ包含添加剤の溶解パラメータに対する前記マトリクスポリマーの溶解パラメータの比率が約０．５〜約１．５、前記マイクロ包含添加剤のメルトフローレートに対する前記マトリクスポリマーのメルトフローレートの比率が約０．２〜約８、および／または前記マイクロ包含添加剤のヤング弾性係数に対する前記マトリクスポリマーのヤング弾性係数の比率が約１〜約２５０である、請求項１から１３のいずれか一項に記載のエネルギー吸収部材。
【請求項１５】
前記ナノ包含添加剤が高分子である、請求項１から１４のいずれか一項に記載のエネルギー吸収部材。
【請求項１６】
前記ナノ包含添加剤が官能性ポリオレフィンである、請求項１５に記載のエネルギー吸収部材。
【請求項１７】
前記ナノ包含添加剤がポリエポキシドである、請求項１５に記載のエネルギー吸収部材。
【請求項１８】
前記熱可塑性組成物が相間修飾剤をさらに含む、請求項１から１７のいずれか一項に記載のエネルギー吸収部材。
【請求項１９】
前記相間修飾剤が、４０°Ｃの温度で測定された時約０．７〜約２００センチストークの動粘度を持つ、請求項１８に記載のエネルギー吸収部材。
【請求項２０】
前記相間修飾剤が、シリコン、シリコン・ポリエーテル共重合体、脂肪族ポリエステル、芳香族ポリエステル、アルキレングリコール、アルカンジオール、アミンオキシド、脂肪酸エステル、またはその組合せである、請求項１８または１９に記載のエネルギー吸収部材。
【請求項２１】
前記相間修飾剤が、前記連続相の重量に基づいて、前記組成物の約０．１重量％〜約２０重量％を構成する、請求項１８から２０のいずれか一項に記載のエネルギー吸収部材。
【請求項２２】
前記高分子材料が気体発泡剤を実質的に含まない、請求項１から２１のいずれか一項に記載のエネルギー吸収部材。
【請求項２３】
前記多孔質ネットワークがマイクロ細孔をさらに含む、請求項１から２２のいずれか一項に記載のエネルギー吸収部材。
【請求項２４】
前記マイクロ細孔のアスペクト比が約１〜約３０である、請求項２３に記載のエネルギー吸収部材。
【請求項２５】
前記多孔質ネットワークが、前記材料の全体にわたって実質的に均一な形態で分配されている、および／または前記ナノ細孔が略平行なカラムに分配されている、請求項１から２４のいずれか一項に記載のエネルギー吸収部材。
【請求項２６】
前記マイクロスケール領域が約０．５マイクロメートル〜約２５０マイクロメートルの平均軸寸法を持つ、請求項１から２５のいずれか一項に記載のエネルギー吸収部材。
【請求項２７】
前記熱可塑性組成物が約１．２グラム／立方センチメートル以下の密度を持つ、請求項１から２６のいずれか一項に記載のエネルギー吸収部材。
【請求項２８】
前記部材が織物の形態である、請求項１から２７のいずれか一項に記載のエネルギー吸収部材。
【請求項２９】
前記織物が複数の糸を含む織布または編物であり、前記糸の少なくとも一部が前記高分子材料を含む、請求項２８に記載のエネルギー吸収部材。
【請求項３０】
前記部材が完全に前記高分子材料から形成される、請求項１から２９のいずれか一項に記載のエネルギー吸収部材。
【請求項３１】
前記高分子材料が前記部材の層または構成成分である、請求項１から２９のいずれか一項に記載のエネルギー吸収部材。
【請求項３２】
前記エネルギー吸収部材が、前記高分子材料に隣接して位置付けられる外部シェル層を含む、請求項１から３１のいずれか一項に記載のエネルギー吸収部材。
【請求項３３】
前記高分子材料が、前記外部シェル層と内部シェル層の間に位置付けられる、請求項３２に記載のエネルギー吸収部材。
【請求項３４】
前記シェル層が、強度強化繊維、金属シート、セラミックシート、またはそれらの組み合わせを含む、請求項３２または３３に記載のエネルギー吸収部材。
【請求項３５】
前記部材が、前記高分子材料および複数の強度強化繊維を含む層を持つ、請求項３２から３４のいずれか一項に記載のエネルギー吸収部材。
【請求項３６】
前記強度強化繊維が前記高分子材料の上方に位置付けられている、請求項３５に記載のエネルギー吸収部材。
【請求項３７】
請求項１から３６のいずれか一項に記載の前記エネルギー吸収部材を含む保護具であって、前記エネルギー吸収部材が身体部分に隣接して位置付けられるように構成されている保護具。
【請求項３８】
前記エネルギー吸収部材が前記保護具の構成要素のみを形成する、請求項３７に記載の保護具。
【請求項３９】
前記保護具が、防弾チョッキまたはジャケット、防弾衣、暴動鎮圧、看守活動に使用される衣類またはその他の衣料品、武道に関連して使用される衣料品または器具、ヘルメット、すね当て、ひじ当て、手袋、スキーブーツ、スノーボードブーツ、オートバイ器具、スケート靴、運動靴、整形外科用ギプスまたは装具、またはそれらの組み合わせである、請求項３７に記載の保護具。